(57)【要約】【課題】  昨今の高機能化された携帯などの端末は、歩行中を前提としたもの（ＧＰＳ機能の地図や万歩計・健康計測機能、速度計など）も多く、これらを歩行中に使用する場合は、手に持った状態や取り出したりする動作がことのほか煩わしく、また、腕への疲労や画面注視による注意力散漫が危険を誘発したり、電車内などでは端末の持ち替えた際などに車両が揺れると危険であるなど、高機能端末を有効利用し辛かった。【解決手段】  高機能携帯電話や携行型情報端末を、ジョイント、アームを介して常に任意の視界位置に維持・表示できるので、歩行中における最小限の動作及び注意力で、高機能化された端末を有効活用できる。これら手・腕の解放により疲労の軽減と注意力の持続は、歩行・ジョギング、室内使用などあらゆる場面で端末操作に余裕が生まれ、また、電車内などの足下が特に不安定な状況でも、腕の自由度が増すことで安全を確保しやすく、端末本来の機能も活用しやすくなる。【選択図】図１
2011244410.tif 000002
【特許請求の範囲】
【請求項１】
端末を固定し支持するためのアームと、これら身体と固定するための首掛けを設けたものである。
【発明の詳細な説明】
【技術分野】
【０００１】  本発明は、主に携帯電話や携行型情報端末などの閲覧の補助及び保護に関する。
【背景技術】
【０００２】  従来、特に携帯電話や情報端末は、手による支持のみに依存し操作していた。また、端末機器の落下などによる破損防止には、端末本体にカバーで覆うなどして保護するなど保護機能において特化させたものや（例えば、特許文献１参照。）、端末本体などにストラップを付けて落下防止（例えば、特許文献２参照）を図るものであった。
【特許文献１】登録実用新案第３０７２７８２
【特許文献２】特許公開２００８−２９５７４８  以下、上記文献に類似するその他の特許文献。特許公開２００９−７２５２３、特許公開２００９−９００６８
【発明の開示】
【発明が解決しようとする課題】
【０００３】  これらは、次のような欠点があった。
従来、携帯電話や携行型情報端末（以下、端末という）を利用するときは、端末収納場所、例えばポケットや鞄などから取り出したり、逐一専用カバーを取り外す動作が伴うなどの煩わしさが伴い、また、情報を常に閲覧したい場合では、手に持った状態のまま操作するなど、こと長時間の閲覧においては、腕への筋力的疲労は意外と大きく辛かった。【０００４】  特に昨今の端末高機能化は、歩行中を前提とした用途のものも多く、例えば、ＧＰＳ機能の地図や万歩計・健康計測機能、速度計などは、常に閲覧状態を維持・表示、或は直ぐに閲覧できる状態が好ましい用途において、歩行中での端末を出し入れする動作の煩わしさと、常に腕を曲げた状態の閲覧での腕への疲労の蓄積、端末操作及び画面注視による意識の散漫は、正常な歩行へ支障を来たし、危険を誘因する。また、電車内などの揺れる状態での閲覧においては、吊り革・手すりで片腕が塞がれた状態での不自由さと合わせ、腕の疲労などからくる端末の持ち替え動作など、車両が揺れた際の無防備な空白時間において、特に危険などあった。【０００５】  本発明は、このような従来の問題を解決しようとするものであり、情報端末に補助機能を付加することで、端末本来の機能・情報を有効活用し易くするとともに、身体的自由度を確保することで腕などの疲労軽減と注意力の維持向上へと寄与する目的とするものである。
【課題を解決するための手段】
【０００６】  そして、本発明は上記目的を達成する為に、端末を固定及び保護する為のカバーから回転ジョイントを介し、支持・延長するための幾つかのアームから更に回転ジョイントを介し、これら身体と固定するための安定板に繋ぎ、安定板から首掛けフックフレームを設けることにより、これら使用者身体の首周りに掛けることで固定された端末を安定的且つ任意の視界位置に保つことができる。
【発明の効果】
【０００７】  従来のように、高機能携帯電話や携行型情報端末を操作する際に、手による支持だけに頼らないことで、両手が自由になり、様々な行動状況（歩行・ジョギング、交通機関内、室内など）の端末使用においても余裕が生まれ、動作の自由度が増す効果を生む。【０００８】  例えば、高機能携帯電話等では、ＧＰＳ機能の地図や万歩計・健康計測機能などを作動させたまま、ジョイント、アームを介して常に視界位置に維持・表示できるので、歩行中における最小限の動作及び注意力で端末を有効活用できる。また、電車内などの足下が不安定な状況での端末使用においても、腕の自由度が増すことで安全を確保しやすく、端末本来の機能も活用しやすくなる。これら手・腕の解放により疲労の軽減と注意力の持続への寄与は、端末使用の日常的なあらゆる場面で有効に発揮する。また、これら端末を使用しない時は、ジョイント、アームを介してコンパクト且つワンタッチで胸元へ格納できるので、端末を出し入れする煩わしい動作と落下による破損の恐れが大幅に軽減する効果をもたらす。
【発明を実施するための最良の形態】
【０００９】  以下、本発明の実施形態を図１〜図８に基づいて説明する。【００１０】  図においては、端末を固定する為に象られた端末固定カバーＡ（１）と、端末固定カバーＢ（２）を、それら合致及び分離するための端末固定カバー解除ボタン（３）を設け、（１）に固着された回転ジョイント・ユニット（４）の雄型部と、支持アーム（５）より延長される伸縮支持アーム（６）に固着された（４）の雌型部との可動により、端末を保護固定するために一体となった（１）〜（４）は、（４）を軸に端末が見やすいように任意回転出来る。同じように（５）に接合された回転ジョイント・ユニット（７）の雄型部は、固定安定板（９）とこれに固着された（７）の雌型部を軸とし、（１）〜（７）は端末を見やすいように一体となって任意回転出来る。また、（１）〜（７）は（７）を軸とし、収納時アーム固定爪（８）に（５）の一部分を挟んで固定・格納することが出来る。（９）を介した首掛けフックフレーム（１０）は、収納の為のいくつかの収納時ジョイント（１１）や収納時ジョイント（１２）などを設ける事により〔図８〕のようにコンパクトに収納し易く折れ曲がる。（１０）の先端には、滑り止め返し（１３）を設けるなどして、身体より滑らないように或は装着感を高めるように施す。【００１１】  これら携行型端末首掛け固定用アームの装着使用時は、〔図１〕或は〔図３〕〔図４〕のようにアーム角度を使用者の使い易い角度に保持しつつ端末閲覧でき、また、端末情報を閲覧しない時は〔図２〕或は〔図７〕のように、使用者の邪魔にならないように固定・格納できる。【００１２】  （１）〜（３）の端末を固定及び保護するための形状及び合致手法は、一例である。【００１３】  （５）（６）のフレーム内にスプリング効果を施すことで、歩行・ジョギング時などの上下動による端末への衝撃を緩和する方策もある。【００１４】  （４）〜（７）の回転ジョイントから支持・延長フレームの効果において、同様のフレキシブルな構造・形状に代替可能とする。【００１５】  （４）（７）（１１）（１２）の回転ジョイントは、各々の必要な効果に見合ったジョイントの定義を満たす一例であり、回転ジョイント形状及びジョイント手法は問わないものである。【００１６】  （１０）の首掛けフックフレームにおいては、硬質系素材以外に、紐のような柔軟素材あるいは軟質系素材、本発明で代替し得る形状・素材が含まれ、この時のジョイントの数及び設置の有無は変化する。【００１７】  また、端末使用時間を長持ちさせる為に（９）に電池類を内蔵させるなどし、（１）〜（７）に配線を施すなどすれば、充電機能を有することもできる。【００１８】  請求項「電子端末を固定し支持するためのアームと、それら身体と固定するための首掛けを設けた」ものは、小型端末全般、例えば比較的大きめの端末であっても、固定し支持するためのアームに端末をセットするように施し、それら身体と固定するための首掛けを設ければ、閲覧時における端末の重さを緩和し快適に操作出来る。これら使用する端末の重量・形状などにより、請求項のもとに適宜に構造対応するものであり、図１〜図８に示した最良の実施形態は、小型携帯型端末においての一例である。以上のように本実���形態によれば、煩わしさと身体的疲労を排し、携帯電話及び端末とその情報を快適に使用する事ができるものである。【００１９】  請求項における端末とは、電子端末に特定しない。
【図面の簡単な説明】
【００２０】
【図１】  携行型端末首掛け固定用アーム（以下、固定用アーム）の装着時における端末閲覧時の上面斜視図
【図２】  同固定用アームの装着時における端末未閲覧時の上面斜視図
【図３】  同固定用アームの装着時における端末閲覧時の正面図
【図４】  同固定用アームの装着時における端末閲覧時の背面図
【図５】  同固定用アームの装着時における端末閲覧時の左側面図
【図６】  同固定用アームの装着時における端末閲覧時の右側面図
【図７】  同固定用アームの装着時における端末閲覧時の上面図
【図８】  同固定用アームの装着時における端末閲覧時の底面図
【図９】  同固定用アームの装着時における端末未閲覧時の左側面図
【図１０】  同固定用アームの未装着時（収納時）の左側面図
【符号の説明】
【００２１】  １  端末固定カバーＡ
２  端末固定カバーＢ
３  端末固定カバー解除ボタン
４  回転ジョイント・ユニット
５  支持アーム
６  伸縮支持アーム
７  回転ジョイント・ユニット
８  収納時アーム固定爪
９  固定安定板
１０  首掛けフックフレーム
１１  収納時回転ジョイント
１２  収納時回転ジョイント
１３  滑り止め返し
【図１】
2011244410.tif 000003
【図２】
2011244410.tif 000004
【図３】
2011244410.tif 000005
【図４】
2011244410.tif 000006
【図５】
2011244410.tif 000007
【図６】
2011244410.tif 000008
【図７】
2011244410.tif 000009
【図８】
2011244410.tif 000010
【図９】
2011244410.tif 000011
【図１０】
2011244410.tif 000012